(57)【要約】【課題】相展開駆動方式と併用した場合の表示品位の低下を抑える。【解決手段】１行の走査線を選択する水平走査期間（１Ｈ）を、前半期間と後半期間とに分けて、このうち、少なくとも後半期間において、当該選択した走査線に選択電圧を印加する。この水平走査期間の前半期間および後半期間のそれぞれにおいて、シフト信号Ｓ１、Ｓ２、Ｓ３、…、Ｓ１９２を順番でＨレベルとして、６列毎にデータ線をまとめたブロックを順番に指定する。この前半期間および後半期間のそれぞれにおいて、指定されたブロックに属する６列のデータ線に、６本の画像信号線に供給され、かつ、階調に応じたデータ信号をそれぞれサンプリングする。【選択図】図７
2007310200.tif 000002
【特許請求の範囲】
【請求項１】
複数行の走査線と、
ｍ（ｍは２以上の整数）列毎にブロック化された複数列のデータ線と、
各々が、前記走査線に所定の選択電圧が印加されたときの、前記データ線にサンプリン
グされたデータ信号に応じた階調となる複数の画素と、
前記複数行の走査線を所定の順番で選択するとともに、１行の走査線を選択する期間を
分割した少なくとも第１および第２期間のうち、少なくとも第２の期間において当該選択
した走査線に選択電圧を印加する走査線駆動回路と、
前記第１および第２期間のそれぞれにわたって、前記ブロックを所定の順番で選択する
ブロック選択回路と、
前記第１および第２期間のそれぞれにおいて、ｍ本の画像信号線に供給され、かつ、階
調に応じたデータ信号を、選択されたブロックに属するｍ列のデータ線にそれぞれサンプ
リングするサンプリング回路と、
を具備することを特徴とする電気光学装置。
【請求項２】
前記サンプリング回路は、前記第１期間において階調に応じたデータ信号をサンプリン
グする前に、前記複数列のデータ線を所定電位にプリチャージする
ことを特徴とする請求項１に記載の電気光学装置。
【請求項３】
供給された表示データが、所定の格納速度で格納されるとともに、格納された表示デー
タが、前記第１および第２期間のそれぞれにおいて前記格納速度の２倍の速度で読み出さ
れるメモリ回路と、
前記メモリ回路から読み出された表示データを、時間軸にｍ倍に伸長し、かつ、階調に
応じた電圧のデータ信号に変換して、前記ｍ本の画像信号線に分配する変換回路と、
を有することを特徴とする請求項１に記載の電気光学装置。
【請求項４】
前記変換回路は、階調に応じた電圧だけ所定の基準電位よりも高位とする正極性または
低位とする負極性に変換するとともに、同一の走査線が選択されたときにおける前記第１
および第２期間において同一極性で変換したデータ信号を出力する
ことを特徴とする請求項３に記載の電気光学装置。
【請求項５】
複数行の走査線と、
ｍ（ｍは２以上の整数）列毎にブロック化された複数列のデータ線と、
各々が、前記走査線に所定の選択電圧が印加されたときの、前記データ線にサンプリン
グされたデータ信号に応じた階調となる複数の画素と、
を有する電気光学装置の駆動方法であって、
前記複数行の走査線を所定の順番で選択するとともに、１行の走査線を選択する期間を
分割した少なくとも第１および第２期間のうち、少なくとも第２の期間において当該選択
した走査線に選択電圧を印加し、
前記第１および第２期間のそれぞれにわたって前記ブロックを所定の順番で選択し、
前記第１および第２期間のそれぞれにおいて、ｍ本の画像信号線に供給され、かつ、階
調に応じたデータ信号を、選択したブロックに属するｍ列のデータ線にそれぞれサンプリ
ングする
ことを特徴とする電気光学装置の駆動方法。
【請求項６】
請求項１乃至４のいずれかに記載の電気光学装置を有することを特徴とする電子機器。
【発明の詳細な説明】
【技術分野】
【０００１】
本発明は、いわゆる相展開したデータ信号をサンプリングしたときに生じる表示品位の
低下を目立たなくする技術に関する。
【背景技術】
【０００２】
近年では、ハイビジョンなどのように表示画像の高精細化が進行している。表示画像の
高精細化は、走査線の行数およびデータ線の列数を増加させて、走査線とデータ線との交
差に対応させた画素を増加することによって達成することができるが、フレーム周波数は
固定であるので、走査線行数の増加によって１水平走査期間が短縮し、さらに、いわゆる
点順次方式では、データ線列数の増加によってデータ線の選択期間も短縮する。このため
、高精細化が進行するにつれてデータ線にデータ信号を供給する時間を充分に確保できな
くなって、画素への書き込みが不十分となり始めた。
【０００３】
そこで、書き込み不足を解消する目的で、相展開駆動という方式が考え出された（特許
文献１参照）。この相展開駆動は、データ線を予め定められた列毎（例えば６列毎）にま
とめ、１水平走査期間にわたって連続する６列ずつ順番で選択するとともに、選択した６
列のデータ線に、時間軸方向に対し６倍に伸長したデータ信号をそれぞれに供給する、と
いう方式である。この相展開駆動方式では、データ線にデータ信号を供給する時間を、点
順次方式と比較して、この例では６倍確保することができるので、高精細化に適している
、と考えられた。
【０００４】
この相展開駆動方式では、同時に選択する６列毎の周期で画素の階調が異なる、という
縦スジ状のムラが発生して、表示品位の低下が目立つ場合がある。そこで、６列のデータ
線に階調に応じた電圧のデータ信号をサンプリングする前に、６列のデータ線のプリチャ
ージ電位を一部異ならせるとともに、プリチャージするタイミングも異ならせる、という
技術が提案された（特許文献２参照）。
【特許文献１】特開２０００−１１２４３７号公報
【特許文献２】特開２００５−１４８３０４号公報
【発明の開示】
【発明が解決しようとする課題】
【０００５】
しかしながら、上記技術では、異ならせるプリチャージの電圧の違いや印加タイミング
など、調整すべき項目が多くなるほか、特定の階調を表示すべき場合に、ムラの発生を抑
制できない、といった問題もあった。
本発明は、上述した事情に鑑みてなされたもので、その目的とするところは、相展開駆
動方式を採用する場合において、調整すべき項目を少なくするとともに、表示すべき階調
に依存しないでムラの発生を抑制することが可能な電気光学装置、その駆動方法および電
子機器を提供することにある。
【課題を解決するための手段】
【０００６】
上記目的を達成するために本発明に係る電気光学装置は、複数行の走査線と、ｍ（ｍは
２以上の整数）列毎にブロック化された複数列のデータ線と、各々が、前記走査線に所定
の選択電圧が印加されたときの、前記データ線にサンプリングされたデータ信号に応じた
階調となる複数の画素と、前記複数行の走査線を所定の順番で選択するとともに、１行の
走査線を選択する期間を分割した少なくとも第１および第２期間のうち、少なくとも第２
の期間において当該選択した走査線に選択電圧を印加する走査線駆動回路と、前記第１お
よび第２期間のそれぞれにわたって、前記ブロックを所定の順番で選択するブロック選択
回路と、前記第１および第２期間のそれぞれにおいて、ｍ本の画像信号線に供給され、か
つ、階調に応じたデータ信号を、選択されたブロックに属するｍ列のデータ線にそれぞれ
サンプリングするサンプリング回路と、を具備することを特徴とする。本発明によれば、
第１期間において、データ線にサンプリングしたデータ信号が、隣接するデータ線の電圧
変化により電圧偏位しても、第２期間において再度サンプリングされるので、当該電圧変
化の影響を無視できるほどに小さく抑えることが可能となる。
【０００７】
本発明において、前記サンプリング回路は、前記第１期間において階調に応じたデータ
信号をサンプリングする前に、前記複数列のデータ線を所定電位にプリチャージして、第
２期間においてプリチャージを実行しないことが好ましい。
また、本発明において、供給された表示データを、所定の格納速度で格納するとともに
、格納した表示データを、前記第１および第２期間のそれぞれにおいて前記格納速度の２
倍の速度で読み出すメモリ回路と、前記メモリ回路から読み出した表示データを、時間軸
にｍ倍に伸長し、かつ、階調に応じた電圧のデータ信号に変換して、前記ｍ本の画像信号
線に分配する変換回路と、を有する構成としても良い。この構成において、前記変換回路
は、階調に応じた電圧だけ所定の基準電位よりも高位とする正極性または低位とする負極
性に変換するとともに、同一の走査線が選択されたときにおける前記第１および第２期間
において同一極性で変換したデータ信号を出力することが好ましい。
なお、本発明は、電気光学装置のほか、電気光学装置の駆動方法としても、さらには、
当該電気光学装置を有する電子機器としても概念することが可能である。
【発明を実施するための最良の形態】
【０００８】
以下、本発明の実施形態について図面を参照して説明する。
図１は、実施形態に係る電気光学装置の全体構成を示すブロック図である。この図に示
されるように、電気光学装置１は、表示パネル１０と制御回路２０と処理回路３０とに大
別される。このうち、制御回路２０と処理回路３０とは、表示パネル１０と別体の回路モ
ジュールであり、表示パネル１０とは、例えばＦＰＣ（Flexible Printed Circuit）基板
によって接続される。
制御回路２０は、外部上位回路（図示省略）から供給される垂直同期信号Ｖs、水平同
期信号Ｈsおよびドットクロック信号Ｄclkにしたがって各部を制御するものである。
【０００９】
一方、処理回路３０は、さらに、ラインバッファ（ＬＢ）３１０、Ｓ／Ｐ変換回路３２
０、Ｄ／Ａ変換回路群３３０、正転・反転回路３４０、プリチャージ電圧生成回路３５０
およびセレクタ３６０に分けられる。
このうち、ラインバッファ３１０は、メモリ回路であり、垂直同期信号Ｖs、水平同期
信号Ｈsおよびドットクロック信号Ｄclkに同期して供給される表示データＶid-aを、制御
回路２０による指示にしたがって一旦格納した後、同指示にしたがって格納速度の２倍の
速度で読み出すとともに、再度２倍の速度で読み出して、表示データＶid-bとして出力す
るものである。ここで、表示データＶid-a（Ｖid-b）は、画素の階調（明るさ）を指定す
るディジタルデータである。
Ｓ／Ｐ変換回路３２０は、ラインバッファ３１０から読み出された表示データＶid-bを
、制御回路２０による指示にしたがって、時間軸方向に対し６倍に伸長（相展開、シリア
ル−パラレル変換ともいう）するとともに、同指示にしたがってチャネルｃｈ１〜ｃｈ６
に分配して表示データＶd1d〜Ｖd6dとして出力するものである。
【００１０】
Ｄ／Ａ変換回路群３３０は、チャネル毎に設けられたＤ／Ａ変換器の集合体であって、
表示データＶd1d〜Ｖd6dを、階調値に応じたアナログ電圧に変換するものである。なお、
本実施形態では、表示データＶid-bを相展開した後にアナログ変換する構成とするが、ア
ナログ変換した後に相展開しても良いのはもちろんである。
【００１１】
正転・反転回路３４０は、Ｄ／Ａ変換された６チャネルのアナログ信号を、制御回路２
０によって正極性が指示されていれば、当該アナログ信号の電圧を、電圧Ｖcを基準とし
て高位側電圧に変換（正転）する一方、負極性が指示されていれば、電圧Ｖcを基準とし
て低位側電圧に変換（反転）して、それぞれアナログ信号Ｖd1〜Ｖd6として出力するもの
である。したがって、Ｓ／Ｐ変換回路３２０と、Ｄ／Ａ変換回路群３３０と、正転・反転
回路３４０をまとめたものを一種の変換回路と考えても良い。
なお、正転・反転回路３４０によりデータ信号の極性を正転・反転する理由は、画素を
交流駆動するためである。ここで、画素をどのように反転させるかについては、（ａ）走
査線毎、（ｂ）データ線毎、（ｃ）画素毎、（ｄ）面（フレーム）毎など様々な態様があ
るが、本実施形態にあっては（ａ）走査線毎の極性反転であるとする。ただし、本発明を
これに限定する趣旨ではない。
また、電圧Ｖcは、データ信号の振幅中心電位であり、画素への書込極性の基準であっ
て、電源電圧（Ｖdd−Ｇnd）のほぼ中間電圧である（後述する図７等参照）。換言すれば
、本実施形態では、データ信号について限っていえば、電圧Ｖcよりも高位側を正極性と
し、低位側を負極性としている。一方、電圧については、特に説明のない限り、電源の接
地電位Ｇndを基準とする。
【００１２】
一方、プリチャージ電圧生成回路３５０は、データ線をプリチャージするためのプリチ
ャージ信号Ｖpreを、書込極性に応じた電圧となるように生成するものである。
セレクタ３６０は、チャネルｃｈ１〜ｃｈ６毎に設けられた双投型スイッチの集合体で
あり、信号ＮrgがＬレベルであるとき、Ｓ／Ｐ変換回路３２０によるアナログ信号を選択
する一方、信号ＮrgがＨレベルであるときプリチャージ電圧生成回路３５０によるプリチ
ャージ信号Ｖpreを選択して、選択した信号をデータ信号Ｖid1〜Ｖid6として表示パネル
１０に供給する。ここで、信号Ｎrgは、表示パネル１０に対する走査制御にしたがって制
御回路２０から供給され、その論理レベルがＨレベルであれば、データ線に対するプリチ
ャージを指定する。
【００１３】
次に、表示パネル１０の構成について説明する。図２は、この表示パネル１０の構成を
示すブロック図である。
この図に示されるように、表示パネル１０の表示領域１００においては、８６４行の走
査線１１２が図においてＸ（水平）方向に延在する一方、１１５２列のデータ線１１４が
図においてＹ（垂直）方向に延在している。そして、これらの走査線１１２とデータ線１
１４との交差部に対応するように画素１１０がそれぞれ設けられている。したがって、本
実施形態において、画素１１０は、表示領域１００において縦８６４行×横１１５２列の
マトリクス状に配列することになる。
なお、本実施形態において、１１５２列のデータ線１１４は、図において左から順番に
６列毎にブロック化されている。そこで説明の便宜上、１、２、３、…、１９２番目のブ
ロックを、それぞれＢ１、Ｂ２、Ｂ３、…、Ｂ１９２と表記している。
【００１４】
図３は、表示パネル１０における画素１１０の詳細な構成を示す図であり、ｉ行および
これに隣接する（ｉ＋１）行と、ｊ列およびこれに隣接する（ｊ＋１）列との交差に対応
する２×２の計４画素分の構成を示している。ここで、ｉ、（ｉ＋１）とは、画素１１０
が配列する行を一般的に示す場合の記号であって、１以上８６４以下の整数であり、ｊ、
（ｊ＋１）とは、画素１１０が配列する列を一般的に示す場合の記号であって、１以上１
１５２以下の整数である。
【００１５】
図３に示されるように、各画素１１０は、ｎチャネル型の薄膜トランジスタ（Thin Fil
m Transistor：以下単に「ＴＦＴ」と略称する）１１６と液晶容量１２０とを含む。
ここで、各画素１１０については互いに同一構成なので、ｉ行ｊ列に位置するもので代
表させて説明すると、当該ｉ行ｊ列の画素１１０におけるＴＦＴ１１６のゲートはｉ行目
の走査線１１２に接続される一方、そのソースはｊ列目のデータ線１１４に接続され、そ
のドレインは液晶容量１２０の一端たる画素電極１１８に接続されている。また、液晶容
量１２０の他端は、コモン電極１０８である。このコモン電極１０８は、全ての画素１１
０にわたって共通であって、本実施形態では電圧ＬＣcomに保たれている。
【００１６】
表示パネル１０は、特に図示しないが、走査線１１２や、データ線１１４、ＴＦＴ１１
６、画素電極１１８などが形成された素子基板と、コモン電極１０８が形成された対向基
板とを一定の間隙を保って、電極形成面が互いに対向するように貼り合わせられるととも
に、この間隙に液晶が封止された構成となっている。このため、本実施形態において液晶
容量１２０は、画素電極１１８とコモン電極１０８とが液晶１０５を挟持することによっ
て構成される。
なお、本実施形態では説明の便宜上、液晶容量１２０において保持される電圧実効値が
ゼロに近ければ、液晶容量を通過する光の透過率が最大となって白色表示になる一方、電
圧実効値が大きくなるにつれて透過する光量が減少して、ついには透過率が最小の黒色表
示になるノーマリーホワイトモードに設定されている。
【００１７】
このような画素１１０において、走査線１１２に選択電圧を印加して、ＴＦＴ１１６を
オン（導通）させるとともに、画素電極１１８に、データ線１１４およびオン状態のＴＦ
Ｔ１１６を介して、階調（明るさ）に応じた電圧を印加することにより、当該液晶容量１
２０に、階調に応じた電圧を保持させることができる。
なお、走査線１１２が非選択電圧になると、ＴＦＴ１１６がオフ（非導通）状態となる
が、このときのオフ抵抗が理想的に無限大とはならないので、液晶容量１２０から電荷が
少なからずリークする。このオフリークの影響を少なくするために、蓄積容量１０９が画
素毎に形成されている。この蓄積容量１０９の一端は、画素電極１１８（ＴＦＴ１１６の
ドレイン）に接続される一方、その他端は、全画素にわたって容量線１０７に共通接続さ
れている。この容量線１０７は、時間的に一定の電位、例えばコモン電極１０８の印加電
圧ＬＣcomに保たれている。
【００１８】
画素１１０が配列する表示領域１００の周辺には、走査線駆動回路１３０や、ブロック
選択回路１４０、サンプリング回路１５０などの周辺回路が設けられている。
このうち、走査線駆動回路１３０は、制御回路２０による制御にしたがって、１フレー
ムの期間にわたって走査信号Ｇ１、Ｇ２、Ｇ３、…、Ｇ８６４を、それぞれ１、２、３、
…、８６４行目の走査線１１２に供給するものである。すなわち、走査線駆動回路１３０
は、走査線を１、２、３、…、８６４行目という順番で選択するとともに、選択した走査
線への走査信号を選択電圧Ｖddに相当するＨレベルとし、それ以外の走査線への走査信号
を非選択電圧（接地電位Ｇnd）に相当するＬレベルとする。
なお、詳細には、図５に示されるように、制御回路２０から供給されるスタートパルス
Ｄyをクロック信号Ｃlyにしたがって順次シフトすること等によって、走査信号Ｇ１、Ｇ
２、Ｇ３、Ｇ４、…、Ｇ８６４を出力する。また、本実施形態では、走査線の選択イコー
ル走査信号がＨレベルを意味しているが、後述するように、イコールでない場合でも良い
。一方、１フレームの期間とは、垂直同期信号Ｖsの周波数が６０Ｈｚであれば、その逆
数の１６．７ミリ秒となるが、本実施形態においては、後述するように表示パネル１０の
垂直走査動作が垂直同期信号Ｖsで規定される垂直走査期間に対して遅延した関係にある
（図４参照）。
【００１９】
次に、ブロック選択回路１４０は、制御回路２０による制御にしたがって、シフト号Ｓ
１、Ｓ２、Ｓ３、…、Ｓ１９２を、それぞれブロックＢ１、Ｂ２、Ｂ３、…、Ｂ１９２に
対応して出力するものである。すなわち、ブロック選択回路１４０は、図７に示されるよ
うに、走査線１１２が選択される期間において、シフト信号Ｓ１、Ｓ２、Ｓ３、…、Ｓ１
９１、Ｓ１９２の順番で排他的にＨレベルとする動作を２回繰り返す。
詳細には、制御回路２０から供給されるスタートパルスＤxをクロック信号Ｃlxにした
がって順次シフトすること等によって、シフト信号Ｓ１、Ｓ２、Ｓ３、…、Ｓ１９１、Ｓ
１９２を出力する。なお、各ブロックは、自身に対応するシフト信号がＨレベルとなった
ときに選択状態となる。
【００２０】
ＯＲ回路１４２は、ブロック毎に設けられ、自身のブロックに対応して出力されたシフ
ト信号と、プリチャージを指定する信号Ｎrgとの論理和信号を求めて、次に説明するサン
プリング回路１５０のサンプリング信号として出力する。
サンプリング回路１５０は、データ線１１４の各々に対応して設けられ、サンプリング
スイッチとして機能するｎチャネル型ＴＦＴ１５１の集合体である。ここで、ＴＦＴ１５
１のドレインは、データ線１１４の一端に接続されている。また、同一ブロックに属する
６列のデータ線１１４に対応したＴＦＴ１５１のゲートには、当該ブロックに対応するサ
ンプリング信号が共通に供給される。例えば、ブロックＢ２に属する７〜１２列目のデー
タ線１１４に対応する６個のＴＦＴ１５１のゲートには、当該ブロックＢ２に対応するサ
ンプリング信号、すなわち当該ブロックＢ２に対応するＯＲ回路１４２の論理和信号が共
通に供給される。
【００２１】
一方、表示パネル１０では、処理回路３０によるデータ信号Ｖid1〜Ｖid6が６本の画像
信号線１７１に供給される。そして、これら６本の画像信号線１７１には、ＴＦＴ１５１
のソースが次に説明するように接続されている。
すなわち、図２において左から数えてｊ列目のデータ線１１４の一端にドレインが接続
されたＴＦＴ１５１のソースは、ｊを６で割った余りが「１」であるならば、データ信号
Ｖid1が供給される画像信号線１７１に接続され、同様に、ｊを６で割った余りが「２」
、「３」、「４」、「５」、「０」であるデータ線１１４にドレインが接続されたＴＦＴ
１５１のソースは、データ信号Ｖid2、Ｖid3、Ｖid4、Ｖid5、Ｖid6が供給される画像信
号線１７１にそれぞれ接続されている。例えば、図２において１１列目のデータ線１１４
にドレインが接続されたＴＦＴ１５１のソースは、「１１」を６で割った余りが「５」で
あるから、データ信号Ｖid5が供給される画像信号線１７１に接続される。
【００２２】
次に、本実施形態に係る電気光学装置１の動作について説明する。
まず、表示データＶid-aが、外部上位回路から、図４に示されるように１フレームの期
間にわたって１行１列〜１行１１５２列、２行１列〜２行１１５２列、３行１列〜３行１
１５２列、…、８６４行１列〜８６４行１１５２列、という画素の順番で供給される。こ
のとき、１フレームの期間が垂直同期信号Ｖsで規定され、水平走査期間が水平同期信号
Ｈsで規定され、１画素分の表示データの供給期間がドットクロックＤclkの１周期で規定
される。
外部上位回路から供給される表示データＶid-aは、ラインバッファ３１０に、ドットク
ロックＤclkの周期（すなわち等速度）で一旦格納される。ここで、表示データＶid-aの
１行分がラインバッファ３１０に格納されると、格納速度の２倍の速度で読み出され、こ
の後、再び２倍の速度で読み出される。
なお、実際には、ラインバッファ３１０は２行分存在し、一方に対して表示データＶid
-aを等速度で格納しているときに、他方から表示データＶid-bを２倍速で読み出す動作を
、１行毎に交互に実行する構成（いわゆるピンポンバッファ）となっている。
【００２３】
１行分の表示データＶid-bを２倍の速度で読み出すと、水平走査期間（１Ｈ）の半分の
期間（０．５Ｈ）で読み出しが完了するが、本実施形態では、この読み出しを２回実行す
る期間を、表示パネル１０における水平走査期間としている。したがって、本実施形態で
は、１行分の表示データＶid-aが供給される水平走査期間（すなわち、水平同期信号Ｈs
で規定される水平走査期間）と、２倍速で表示データＶid-bを２回読み出すのに要する期
間は、時間的長さでは一致するが、１行分の表示データＶid-aを一旦格納した後に読み出
しを開始しているので、１行分の表示データＶid-aが供給される水平走査期間（１Ｈ）に
対し、表示パネル１０を水平走査するための水平走査期間（１Ｈ）が１Ｈの期間だけ遅延
した関係となる。
ただし、本実施形態にあっては、表示パネル１０の走査を問題としているので、特に断
りのない限り、読み出した表示データＶid-bで規定される期間を基準にして、１フレーム
の期間や水平走査期間を規定している。
なお、本実施形態においては、上述したよう走査線毎の極性反転を行うが、１行目の走
査線１１２に位置する画素１１０については正極性の電圧を書き込むものとする。
【００２４】
まず、制御回路２０は、走査線駆動回路１３０に対し１行目の走査線１１２への走査信
号Ｇ１が水平走査期間（１Ｈ）にわたってＨレベルとするように制御する（実際には、ス
タートパルスＤyとクロック信号Ｃｌyの供給による）。ここで、図７に示されるように、
各水平走査期間（１Ｈ）は、表示データＶid-bの２回の読み出しに合わせて前半と後半と
に分かれる。さらに、前半および後半のいずれも、帰線期間Ｈbと有効走査期間Ｈaとに分
かれる。
制御回路２０は、走査信号Ｇ１がＨレベルとなる水平走査期間（１Ｈ）のうち、前半期
間（１回目の０．５Ｈ）における帰線期間Ｈbの一部期間にわたって信号ＮrgをＨレベル
とする。なお、この水平走査期間は、図７において、ｉ＝１としてＧｉがＧ１とした場合
に相当する。
一方、プリチャージ電圧生成回路３５０は、プリチャージ信号Ｖpreを、１行目に指定
される正極性書込に対応した電圧Ｖb(+)とする。信号ＮrgがＨレベルであると、セレクタ
３６０はプリチャージ信号Ｖpreを選択するので、６本の画像信号線１７１には、プリチ
ャージ信号Ｖpreの電圧Ｖb(+)が印加されることになる。
【００２５】
また、信号ＮrgがＨレベルになると、シフト信号Ｓ１、Ｓ２、Ｓ３、…、Ｓ１９２の論
理レベルとは無関係に、ＯＲ回路１４２による論理和信号がすべてＨレベルとなる。した
がって、すべてのＴＦＴ１５１がオンするので、１〜１１５２列目のすべてのデータ線１
１４が画像信号線１７１に供給されたプリチャージ信号Ｖpreの電圧であるＶb(+)にプリ
チャージされる。これにより、１〜１１５２列目のすべてのデータ線１１４は、データ信
号の電圧を書き込む前の初期状態が揃えられることになる。なお、ＴＦＴ１５１がオフに
なっても、各データ線１１４は、その寄生容量によってプリチャージされた電圧を保持し
続ける。
この後、信号ＮrgがＬレベルになると、セレクタ３６０は正転・反転回路３４０による
データ信号Ｖd1〜Ｖd6を選択する一方、ＴＦＴ１５１のオン／オフは、シフト信号の論理
レベルだけで規定されることになる。
【００２６】
次に、制御回路２０は、当該前半期間における有効走査期間Ｈaの開始時にスタートパ
ルスＤxをブロック選択回路１４０に供給する。これにより、当該前半期間における有効
走査期間Ｈaにわたって、シフト信号Ｓ１、Ｓ２、Ｓ３、…、Ｓ１９２がこの順番でＨレ
ベルとなる。
【００２７】
一方、１行目を選択する場合、制御回路２０は、当該前半期間において、１行目であっ
て１、２、３、４、…、１１５２列目の画素１１０に対応する表示データＶid-bをこの順
番で、２倍速にてラインバッファ３１０から読み出す。
制御回路２０は、図６に示されるように、１〜６列目の表示データＶid-bを、図６に示
されるように、シフト信号Ｓ１がＨレベルとなる期間にあわせて、Ｓ／Ｐ変換回路３２０
によって時間軸方向に６倍に伸長させるとともに、１〜６列目に対応する表示データを、
それぞれ表示データＶd1〜Ｖd6の順に分配させる。分配された表示データＶd1〜Ｖd6は、
それぞれＤ／Ａ変換回路群３３０によってアナログ信号に変換されるとともに、それぞれ
正転・反転回路３４０によって正極性の信号とされて、データ信号Ｖid1〜Ｖid6として出
力される。
これによって、データ信号Ｖid1は、１行１列の画素１１０の階調に応じた正極性電圧
となる。同様に、データ信号Ｖid2〜Ｖid6は、それぞれ１行２列〜１行６列の画素１１０
の階調に応じた正極性電圧となる。
【００２８】
シフト信号Ｓ１がＨレベルであれば、ブロックＢ１に属する１〜６列目に対応するＴＦ
Ｔ１５１がオンするので、１列目のデータ線１１４には１行１列の画素１１０の階調に応
じた正極性電圧のデータ信号Ｖid1がサンプリングされ、同様に、２〜６列目のデータ線
１１４には、１行２列〜１行６列の画素１１０の階調に応じた正極性電圧のデータ信号Ｖ
id2〜Ｖid6がサンプリングされる。
走査信号Ｇ１がＨレベルであるので、１行目の走査線１１２にゲートが接続されたＴＦ
Ｔ１１６がオンである。このため、１列目のデータ線１１４にサンプリングされたデータ
信号Ｖid1の電圧は、１行目の走査線１１２と１列目のデータ線１１４との交差に対応す
る１行１列の画素電極１１８に印加されることになる。同様に２〜６列目のデータ線１１
４にサンプリングされたデータ信号Ｖid2〜Ｖid6の電圧についても、それぞれ同様にして
１行２列〜１行６列の画素電極１１８に印加されることになる。
【００２９】
シフト信号Ｓ１の次にはシフト信号Ｓ２がＨレベルとなる。制御回路２０は、図６に示
されるように、７〜１２列目の表示データＶid-bを、シフト信号Ｓ２がＨレベルとなる期
間にあわせて６倍に伸長させるとともに、７〜１２列目に対応する表示データを、それぞ
れ表示データＶd1〜Ｖd6の順に分配させ、正極性の信号に変換して、データ信号Ｖid1〜
Ｖid6として出力される。
シフト信号Ｓ２がＨレベルであれば、ブロックＢ２に属する７〜１２列目に対応するＴ
ＦＴ１５１がオンするので、７列目のデータ線１１４には１行７列の画素１１０の階調に
応じた正極性電圧のデータ信号Ｖid1がサンプリングされ、同様に、８〜１２列目のデー
タ線１１４には、１行８列〜１行１２列の画素１１０の階調に応じた正極性電圧のデータ
信号Ｖid2〜Ｖid6がサンプリングされる。
走査信号Ｇ１は依然Ｈレベルであるので、７列目のデータ線１１４にサンプリングされ
たデータ信号Ｖid1の電圧は、１行７列の画素電極１１８に印加されることになる。同様
に７〜１２列目のデータ線１１４にサンプリングされたデータ信号Ｖid2〜Ｖid6の電圧に
ついても、それぞれ１行７列〜１行１２列の画素電極１１８に印加されることになる。
当該前半期間では、以下同様な動作が、シフト信号Ｓ１９２がＨレベルとなるまで実行
され、これにより１行１列〜１行１１５２列の画素電極１１８には、階調に応じた正極性
電圧が印加されることになる。
【００３０】
当該前半期間の次の後半期間においては、その帰線期間Ｈbにおいて信号ＮrgがＬレベ
ルを維持し、Ｈレベルとならない点において異なる以外、前半期間と同様な動作が実行さ
れる。
したがって、後半期間では、１列〜１１５２列のデータ線１１４には、１行１列〜１行
１１５２列の画素の階調に応じた正極性の電圧が再度サンプリングされる。これにより、
１行１列〜１行１１５２列の画素電極１１８には、階調に応じた正極性電圧が再度印加さ
れることになる。
【００３１】
１行目の次には、２行目の走査線１１２が選択される。２行目の走査線が選択される場
合、書込極性が反転するので、負極性書込となるが、それ以外の動作は、１行目の走査線
１１２が選択される場合と同様である。
したがって、２行目の走査線１１２が選択される場合、１〜１１５２列のデータ線は、
前半期間の帰線期間Ｈbにおいて、負極性書込に応じた電圧Ｖb(-)にプリチャージされ、
この後、前半期間の有効走査期間Ｈaにおいて、２行１列〜２行１１５２列の画素の階調
に応じた負極性の電圧がサンプリングされ、続く後半期間の帰線期間Ｈbではプリチャー
ジがなされず、後半期間の有効走査期間Ｈaにおいて、２行１列〜２行１１５２列の画素
の階調に応じた負極性の電圧が再度サンプリングされる。これにより、２行１列〜２行１
１５２列の画素電極１１８には、階調に応じた負極性電圧が印加されることになる。
【００３２】
このような動作が、３、４、５、６、…、８６３、８６４行目の走査線１１２が選択さ
れるまで繰り返し実行される。これにより、奇数（１、３、５、…、８６３）行目の画素
電極１１８には、それぞれ階調に応じた正極性電圧が印加される一方、偶数（２、４、６
、…、８６４）行目の画素電極１１８には、それぞれ階調に応じた負極性電圧が印加され
る。これにより各画素１１０は、それぞれ階調に応じた明るさとなり、１枚の画像が表示
されることになる。
なお、次のフレームでは、各行において書込極性が反転するので、奇数行目の画素電極
１１８には、それぞれ階調に応じた負極性電圧が印加される一方、偶数行目の画素電極１
１８には、それぞれ階調に応じた正極性電圧が印加される。
これにより各画素における液晶容量１２０が交流駆動されるので、直流成分の印加によ
る液晶１０５の劣化が防止される。
【００３３】
なお、図７において、データ信号Ｖid1（〜Ｖid6）は、正極性書込であれば、黒色（最
低階調）に相当する電圧Ｖb(+)から白色（最高階調）に相当する電圧Ｖw(+)までの範囲で
基準電圧Ｖcから画素の階調に応じた分だけ高位の電圧となり、負極性書込であれば、黒
色に相当する電圧Ｖb(-)から白色に相当する電圧Ｖw(-)までの範囲で電圧Ｖcから画素の
階調に応じた分だけ低位の電圧となる。
本実施形態では、書込極性の基準である電圧Ｖcを、コモン電極１０８に印加された電
圧ＬＣcomよりも若干高位に設定してある。その理由は、ＴＦＴ１１６のゲート・ドレイ
ン間の寄生容量に起因して、オンからオフに状態変化するときにドレイン（画素電極１１
８）の電位が低下する現象（プッシュダウン、突き抜け、フィールドスルーなどと呼ばれ
る）が発生するためである。液晶の劣化を防止するため、液晶容量１２０に対しては交流
駆動が原則であるが、コモン電極１０８に印加される電圧ＬＣcomを書込極性の基準とし
て交流駆動すると、プッシュダウンのために、負極性書込による液晶容量１２０の電圧実
効値が、正極性書込による実効値よりも若干大きくなってしまう（ＴＦＴ１１６がｎチャ
ネルの場合）。このため、書込極性の基準電圧Ｖcを、コモン電極１０８の電圧ＬＣcomよ
り高位側に設定して、プッシュダウンの影響を相殺しているのである。
なお、図７において、データ信号Ｖid1（〜Ｖid6）における電圧を示す縦スケールは、
走査信号やシフト信号などの論理信号の電圧波形と比較して拡大してある（次に説明する
図８においてデータ線の電圧を示す縦スケールについても、同様に論理信号の電圧波形と
比較して拡大してある）。
【００３４】
本実施形態では、各水平走査期間において、１〜１１５２列のデータ線は、前半期間の
帰線期間Ｈbにおいて、書込極性に応じた電圧にプリチャージされた後、前半期間の有効
走査期間Ｈaにおいて、選択行であって１〜１１５２列の画素の階調に応じた電圧がサン
プリングされ、続く後半期間の帰線期間Ｈbではプリチャージがなされず、後半期間の有
効走査期間Ｈaにおいて、選択行であって１〜１１５２列の画素の階調に応じた同極性の
電圧が再度サンプリングされる。したがって、１〜１１５２列のデータ線は、各水平走査
期間において、前半期間と後半期間との２度の有効走査期間Ｈaにわたって画素の階調に
応じた同一極性の電圧がそれぞれ１回ずつ、計２回サンプリングされることなる。
【００３５】
そこで、この２回にわたったサンプリングの効果について、例えばブロックＢ１、Ｂ２
について着目して説明する。図８は、ブロックＢ１、Ｂ２において互いに隣接する６列目
のデータ線と、７列目のデータ線との電圧変化を示す図である。
まず、前半期間の有効走査期間Ｈaにおいてシフト信号Ｓ１がＨレベルになったとき、
１〜６列のデータ線１１４は、それぞれプリチャージ電圧（正極性書込であれば、電圧Ｖ
b(+)）から階調に応じたデータ信号の電圧（目標電圧）に変化する。
シフト信号Ｓ１がＬレベルになると、１〜６列のデータ線１１４は電気的にいずれにも
接続されないハイ・インピーダンス状態となる。一方、シフト信号Ｓ２がＨレベルになる
と、今度は７〜１２列のデータ線１１４が、それぞれプリチャージ電圧から階調に応じた
データ信号の電圧に変化する。ここで、各データ線１１４は、互いに隣接するデータ線１
１４と近接しているので、容量的に結合した状態にある。このため、７列目のデータ線１
１４が、プリチャージ電圧から階調に応じた電圧に変化すると、その電圧変化が、ハイ・
インピーダンス状態にある６列目のデータ線に影響を及ぼし、当該６列目のデータ線の電
圧を目標電圧から偏位させてしまう。
走査線は有効走査期間ＨaにわたってＨレベルであるので、６列目のデータ線は、階調
に応じた電圧（目標電圧）から偏位した電圧がそのまま書き込まれてしまうことになる。
これに対し、１〜５列目のデータ線１１４では、階調に応じた電圧がサンプリングされて
から、隣接するデータ線が電圧変化しないので、目標電圧を維持することになる。なお、
厳密にいえば、６列目のデータ線が目標電圧から偏位したことにより５列目のデータ線も
目標電圧から偏位するが、６列目のデータ線における電圧偏位は、７列目の電圧変化と比
較して小さいので、ほとんど影響を受けないと考えて良い。
【００３６】
したがって、階調に応じた電圧をデータ線に１回しかサンプリングしない構成では、ブ
ロックＢ１に属する１〜６列のデータ線１１４のうち、６列目のデータ線だけが、目標電
圧から偏位してしまうので、これが明るさの差となって現れる。同様な目標電圧の偏位は
、目標電圧をサンプリングした後に、隣接するデータ線が電圧変化する１２、１８、２４
、…、１１４６列目のデータ線１１４でも発生する。なお、本実施形態では、１１５３列
が存在しないので、１１５２列では目標電圧がサンプリングされた後に、隣接するデータ
線が電圧変化の影響により目標電圧が偏位する、という現象が発生しない。
このため、階調に応じた電圧をデータ線に１回しかサンプリングしない場合に、各列の
画素を同じ階調で表示させようとしたとき、図９（ａ）で示されるように、チャネルｃｈ
１〜ｃｈ５に相当する列は目標電圧を維持するので互いに同じ階調となるのに対し、チャ
ネルｃｈ６に相当する列は目標電圧から偏位してしまうので、チャネルｃｈ１〜ｃｈ５に
相当する列と比較して明るさが異なってしまい、これが列方向に連続することによって縦
状の縞として視認される。
なお、チャネルｃｈ６に相当する列が、他の列と比較して明るくなるか、暗くなるかに
ついては、プリチャージ電圧や、モード（ノーマリーホワイトモードまたはノーマリーブ
ラックモード）によって決まる。本実施形態では、プリチャージ電圧を黒色に相当する電
圧Ｖb(+)またはＶb(-)としているので、隣接するデータ線の電圧変化は、液晶容量の保持
電圧を絶対値でみて小さくさせる方向に働く。したがって、ノーマリーホワイトモードで
あれば、図９（ａ）に示されるように、チャネルｃｈ６に相当する列は、他の列と比較し
て明るくなる方向にずれることになる。
【００３７】
これに対し、本実施形態では、図８に示されるように、後半期間の有効走査期間Ｈaで
階調に応じた電圧を同極性で再度サンプリングするので、目標電圧から偏位した６列目の
データ線の電圧が再度目標電圧にサンプリングし直されることになる。一方、上述したよ
うに、チャネルｃｈ１〜ｃｈ５に相当するデータ線は、目標電圧を維持しているので、７
列目のデータ線は、階調に応じた電圧を再度のサンプリングしたとしても電圧変化しない
（電圧変化があったとしても無視できる）。
このため、７列目のデータ線における再度のサンプリングによって、当該７列目のデー
タ線と容量的に結合する６列目のデータ線は、目標電圧から偏位することはなく、目標電
圧で確定することになる。チャネルｃｈ６に相当する６列目以外の１２、１８、２４、…
、１１４６列目のデータ線１１４においても、同様に目標電圧で確定することになる。
【００３８】
このため、本実施形態では、図９（ｂ）で示されるように、チャネルｃｈ６に相当する
列は、チャネルｃｈ１〜ｃｈ５に相当する列と明るさが異なってしまうことがなくなり、
縦状の縞の発生が抑えられることになる。このとき、サンプリングする電圧、すなわち、
階調に依存させずに、データ線を目標電圧で確定することができるので、すべての階調に
わたって表示品位の低下を防止することができる。
また、本実施形態では、このような縞の発生を抑えるに際し、各チャネルにわたってプ
リチャージの電圧や、プリチャージするタイミングを共通化しているので、調整すべき項
目を増やさないで済む。
【００３９】
なお、上述した実施形態では、水平走査期間（１Ｈ）を分けた前半期間と後半期間とを
互いに等期間（０．５Ｈ）としたが異ならせても良い。すなわち、前半期間におけるデー
タ線への電圧サンプリングが、後半期間における電圧サンプリングのためのプリチャージ
である、という考え方にたてば、前半期間を後半期間よりも短くしても良いし、逆に後半
期間におけるデータ線への電圧サンプリングは、前半期間における電圧サンプリング後の
再度のサンプリングであり、偏位した目標電圧の微調整にしか過ぎない、という考え方に
たてば、後半期間を前半期間よりも短くしても良い。
また、実施形態では、ある１行の走査線１１２を選択したときに、水平走査期間（１Ｈ
）の全域にわたって当該走査線に対応する走査信号をＨレベルとしたが、少なくとも、再
度のサンプリングにより目標電圧となったときに、Ｈレベルであれば良い。すなわち、実
施形態において、前半期間において走査信号をＨレベルとする必要はなく、少なくとも後
半期間の有効走査期間ＨaでＨレベルであれば良い。
また、実施形態では、水平走査期間を前半期間と後半期間との２回に分けたが、３回以
上に分けても良い。
【００４０】
上述した実施形態では、同時に書き込むデータ線数である相展開数ｍを「６」にすると
ともに、これに対応して画像信号線１７１の本数も「６」としたが、ｍは「２」以上であ
れば良い。
さらに、上述した説明では、データ信号をサンプリングする直前期間にて、すべてのデ
ータ線１１４をプリチャージする構成としたが、そのプリチャージ電圧は、黒色に相当す
る電圧に限られず、灰色や白色に相当する電圧であっても良い。また、上述したように、
最初の前半期間における電圧のサンプリングは、一種のプリチャージと考えることもでき
るので、前半期間の帰線期間Ｈbにおけるプリチャージを敢えて実行して、電圧を書き込
む前の初期状態を揃えなくも良い。
また、処理回路３０は、ディジタルの表示データＶid-aを入力して処理するものとした
が、アナログの画像信号を入力して相展開する構成としても良い。
【００４１】
さらに画素容量の電圧実効値が小さい場合に白色表示を行うノーマリーホワイトモード
ではなく、黒色表示を行うノーマリーブラックモードとしても良い。また、Ｒ（赤）、Ｇ
（緑）、Ｂ（青）の３画素で１ドットを構成して、カラー表示を行うとしても良い。表示
領域１００は透過型に限られず、反射型や、両者の中間的な半透過半反射型であっても良
い。
くわえて、実施形態等については、液晶装置について説明したが、本発明では、表示デ
ータ（映像信号）を相展開して、複数本のデータ線にサンプリングさせる構成であれば、
液晶装置に限られず、例えばＥＬ（Electronic Luminescence）素子、電子放出素子、電
気泳動素子、ディジタルミラー素子などを用いた装置や、プラズマディスプレイなどにも
適用可能である。
【００４２】
次に、上述した実施形態に係る電気光学装置を用いた電子機器の一例について説明する
。図１０は、上述した電気光学装置１をライトバルブとして用いた３板式プロジェクタの
構成を示す平面図である。
この図に示されるように、プロジェクタ２１００内部には、ハロゲンランプ等の白色光
源からなるランプユニット２１０２が設けられている。このランプユニット２１０２から
射出された投射光は、内部に配置された３枚のミラー２１０６および２枚のダイクロイッ
クミラー２１０８によってＲ（赤）、Ｇ（緑）、Ｂ（青）の３原色に分離されて、各原色
に対応するライトバルブ１００Ｒ、１００Ｇおよび１００Ｂにそれぞれ導かれる。なお、
Ｂ色の光は、他のＲ色やＧ色と比較すると、光路が長いので、その損失を防ぐために、入
射レンズ２１２２、リレーレンズ２１２３および出射レンズ２１２４からなるリレーレン
ズ系２１２１を介している。
【００４３】
ここで、ライトバルブ１００Ｒ、１００Ｇおよび１００Ｂの構成は、上述した実施形態
における表示パネル１０と同様であり、Ｒ、Ｇ、Ｂの各色に対応するデータ信号でそれぞ
れ駆動されるものである。このため、プロジェクタ２１００では、表示パネル１０を含む
電気光学装置１が、Ｒ、Ｇ、Ｂの各色に対応して３組設けられた構成となっている。
ライトバルブ１００Ｒ、１００Ｇ、１００Ｂによってそれぞれ変調された光は、ダイク
ロイックプリズム２１１２に３方向から入射する。そして、このダイクロイックプリズム
２１１２において、Ｒ色およびＢ色の光は９０度に屈折する一方、Ｇ色の光は直進する。
したがって、各色の画像が合成された後、スクリーン２１２０には、投射レンズ２１１４
によってカラー画像が投射されることとなる。
【００４４】
なお、ライトバルブ１００Ｒ、１００Ｇおよび１００Ｂには、ダイクロイックミラー２
１０８によって、Ｒ、Ｇ、Ｂの各原色に対応する光が入射するので、カラーフィルタを設
ける必要はない。また、ライトバルブ１００Ｒ、１００Ｂの透過像は、ダイクロイックミ
ラー２１１２により反射した後に投射されるのに対し、ライトバルブ１００Ｇの透過像は
そのまま投射されるので、ライトバルブ１００Ｇによる画像は、ライトバルブ１００Ｒ、
１００Ｂによる画像の左右反転画像とさせることが必要となる。
【００４５】
電子機器としては、図１０を参照して説明した投射型の他にも、テレビジョンや、ビュ
ーファインダ型のビデオテープレコーダ、カーナビゲーション装置、ページャ、電子手帳
、電卓、ワードプロセッサ、ワークステーション、テレビ電話、ＰＯＳ端末、ディジタル
スチルカメラ、携帯電話機、タッチパネルを備えた機器等などの直視型にも適用可能であ
る。すなわち、これらの各種の電子機器に対して上述した電気光学装置が適用可能である
。
【図面の簡単な説明】
【００４６】
【図１】本発明の実施形態に係る電気光学装置の全体構成を示す図である。
【図２】同電気光学装置における表示パネルの構成を示す図である。
【図３】同表示パネルにおける画素の構成を示す図である。
【図４】同電気光学装置の垂直走査動作を説明するための図である。
【図５】同電気光学装置の垂直走査動作を説明するための図である。
【図６】同電気光学装置の相展開の動作を説明するための図である。
【図７】同電気光学装置の水平走査の動作を説明するための図である。
【図８】同電気光学装置におけるデータ線の電圧変化を説明するための図である。
【図９】同電気光学装置における表示ムラの改善を示す図である。
【図１０】同電気光学装置を適用したプロジェクタの構成を示す図である。
【符号の説明】
【００４７】
１…電気光学装置、１０…表示パネル、２０…制御回路、３０…処理回路、１００…表示
領域、１０５…液晶、１０８…対向電極、１１０…画素、１１２…走査線、１１４…デー
タ線、１１６…ＴＦＴ、１１８…画素電極、１２０…液晶容量、１３０…走査線駆動回路
、１４０…ブロック選択回路、１５１…サンプリングスイッチ、１７１…画像信号線、２
１００…プロジェクタ
【図１】
2007310200.tif 000003
【図２】
2007310200.tif 000004
【図３】
2007310200.tif 000005
【図４】
2007310200.tif 000006
【図５】
2007310200.tif 000007
【図６】
2007310200.tif 000008
【図７】
2007310200.tif 000009
【図８】
2007310200.tif 000010
【図９】
2007310200.tif 000011
【図１０】
2007310200.tif 000012